(57)【要約】【課題】除電効果を高めて、静電気による液晶パネルなどの光変調素子表面へのゴミ、ケバ等の付着防止の向上を可能とする光変調装置及び該光変調装置を備えたプロジェクタを提供する。【解決手段】液晶パネル４０Ｇと、液晶パネル４０Ｇの両表面にそれぞれ配置される２枚の防塵ガラス６００，６０２とを備え、各防塵ガラス６００，６０２の外表面に帯電防止用の透明導電膜６０３を設けると共に、透明導電膜６０３上であって液晶パネル４０Ｇに表示領域の外周に相当する部分に導電部材６０４を設け、導電部材６０４を電気的に接地するものである。【選択図】        図５
2004233501.tif 000002
【特許請求の範囲】
【請求項１】
光変調素子と、該光変調素子の両表面にそれぞれ配置される２枚の防塵ガラスとを備え、前記各防塵ガラスの外表面に帯電防止用の透明導電膜を設けると共に、該透明導電膜上であって前記光変調素子による表示領域の外周に相当する部分に導電部材を設け、該導電部材を電気的に接地することを特徴とする光変調装置。
【請求項２】
前記光変調素子と、前記光変調装置が組み込まれる機器との間の電気的な接続を行うためのフレキシブルケーブルを有し、該フレキシブルケーブルを介して前記導電部材を電気的に接地することを特徴とする請求項１記載の光変調装置。
【請求項３】
前記フレキシブルケーブルに前記導電部材を電気的に接地するためのＧＮＤラインを設け、前記導電部材を前記ＧＮＤラインに接続することにより電気的に接地することを特徴とする請求項２記載の光変調装置。
【請求項４】
前記導電部材は、前記透明導電膜の電気抵抗値よりも小さい電気抵抗値を有するものであることを特徴とする請求項１乃至請求項３の何れかに記載の光変調装置。
【請求項５】
前記導電部材は、導電性薄膜であることを特徴とする請求項１乃至請求項４の何れかに記載の光変調装置。
【請求項６】
前記導電部材は、導電性ゴム材であることを特徴とする請求項１乃至請求項４の何れかに記載の光変調装置。
【請求項７】
前記光変調素子が、ＴＦＴ基板と該ＴＦＴ基板基板と対向する対向基板との間に液晶を封入してなる液晶パネルであることを特徴とする請求項１乃至請求項６の何れかに記載の光変調装置。
【請求項８】
請求項１乃至請求項７の何れかに記載の光変調装置を備えたことを特徴とするプロジェクタ。
【発明の詳細な説明】
【０００１】
【発明の属する技術分野】
本発明は、光変調装置及び該光変調装置を備えたプロジェクタに関する。さらに詳しくは、光変調装置内に設けられた液晶パネル等の光変調素子表面にゴミ、ケバ等が付着するのを防止する技術に関する。
【０００２】
【従来の技術】
従来より、液晶パネル表面に静電気が帯電し、この静電気により液晶パネル表面にゴミ等が付着して画質が劣化することが知られている。これを防止するために、液晶パネル表面に帯電した静電気を除去するための技術が各種提案されている。例えば、導電性膜を塗布した液晶パネルを金属枠で挟み込み、その金属枠を、この液晶パネルが組み込まれる例えばプロジェクタ等の機器類側にアースすることで液晶パネル表面の静電気を導電性膜から金属枠を介し、アースを通して逃すようにした液晶表示装置がある（例えば、特許文献１参照）。
【０００３】
また、液晶パネルに帯電防止層である導電性膜を塗布することにより、ゴミ等の付着を防止するようにした電気光学装置及びプロジェクタもある（例えば、特許文献２参照）。
【０００４】
【特許文献１】
特開２０００−１４７４７０号公報
【特許文献２】
特開２００２−１４４２１号公報
【０００５】
【発明が解決しようとする課題】
上記特許文献１においては、金属枠を用いて機器類側にアースするとしているが、実際の製品では金属枠の表面に酸化処理膜を施すことが必至であるため、酸化処理膜を施した金属枠では電気的な導通がとれず、有効なアース接続が得られないものと予測される。このため、十分な除電効果が得られず、ゴミ、ケバ等の付着防止が十分に行なわれないと思われる。
【０００６】
また、上記特許文献２においては、単に液晶パネルに導電成膜を塗布しただけであるので、除電効果が期待されるほど高くなく、よって、ゴミ、ケバ等の付着防止が十分に行えないという問題があった。
【０００７】
本発明は、このような点に鑑みなされたもので、除電効果を高めて、静電気による液晶パネルなどの光変調素子表面へのゴミ、ケバ等の付着防止の向上を可能とする光変調装置及び該光変調装置を備えたプロジェクタを提供することを目的とする。
【０００８】
【課題を解決するための手段】
本発明に係る光変調装置は、光変調素子と、光変調素子の両表面にそれぞれ配置される２枚の防塵ガラスとを備え、各防塵ガラスの外表面に帯電防止用の透明導電膜を設けると共に、透明導電膜上であって光変調素子による表示領域の外周に相当する部分に導電部材を設け、導電部材を電気的に接地するようにしたものである。これによれば、光変調素子表面に帯電しようとする静電気が、透明導電膜から導電部材を介して接地部分を通じて放電される。よって、従来に比べて除電の確実性が得られ、静電気による光変調素子表面へのゴミ、ケバ等の付着防止の向上を図ることができる。
【０００９】
また、本発明に係る光変調装置は、光変調素子と、光変調装置が組み込まれる機器との間の電気的な接続を行うためのフレキシブルケーブルを有し、フレキシブルケーブルを介して導電部材を電気的に接地するものである。このように、フレキシブルケーブルを利用して導電部材を接地するようにすることができる。
【００１０】
また、本発明に係る光変調装置は、フレキシブルケーブルに導電部材を電気的に接地するためのＧＮＤラインを設け、導電部材をＧＮＤラインに接続することにより電気的に接地するものである。このように、フレキシブルケーブルのＧＮＤラインに導電部材を接続することにより接地するようにしてもよい。
【００１１】
また、本発明に係る光変調装置は、上記導電部材が、透明導電膜の電気抵抗値よりも小さい電気抵抗値を有するものである。これによれば、光変調素子表面に帯電しようとする静電気が放電し易くなり、高い除電効果を得られ、もって、ゴミ、ケバ等の付着防止効果を高めることができる。
【００１２】
また、本発明に係る光変調装置は、上記導電部材を導電性薄膜としたものである。このように導電部材を導電性薄膜としてもよい。また、導電部材を導電性薄膜とした場合、フレキシブルケーブルを用いて接地する際に、フレキシブルケーブルとの良好な電気的接続性を得ることが可能となる。
【００１３】
また、本発明に係る光変調装置は、上記導電部材を導電性ゴム材としたものである。このように、導電性薄膜とした場合、透明導電膜との密着性が高まり安定的な除電効果を得ることが可能となる。
【００１４】
また、本発明に係る光変調装置は、上記光変調素子が、ＴＦＴ基板とＴＦＴ基板基板と対向する対向基板との間に液晶を封入してなる液晶パネルであるものである。このように、光変調素子として、対向基板とＴＦＴ基板との間に液晶を封入した構成のものを用いることができる。
【００１５】
また、本発明に係るプロジェクタは、上記光変調装置を備えたものである。これにより、光変調素子の表面にゴミ、ケバ等が付着するのが防止されるため、ゴミ、ケバ等が付着による投写画像の画質悪化を防止することができ、良好な投写画像を提供することが可能となる。
【００１６】
【発明の実施の形態】
次に、本発明の好適な実施の形態について、本発明に係る光変調装置を適用したプロジェクタを例に、添付図面を参照しながら説明する。
【００１７】
図１には、本発明に係る光変調装置を適用したプロジェクタの外観図を示してある。本例のプロジェクタ１の外装ケース２は直方体形状をしている。この外装ケース２は、基本的には、アッパーケース３と、ロアーケース４と、装置前面を規定しているフロントケース５から構成されている。そして、フロントケース５の中央からは投写レンズユニット６の先端側の部分が突出している。
【００１８】
図２には、プロジェクタ１の外装ケース２の内部における各構成部分の配置を示してある。この図に示すように、外装ケース２の内部において、その後端側には電源ユニット７が配置されている。これよりも装置前側に隣接した位置には、光源ランプユニット８および光学ユニット９が配置されている。さらに、光学ユニット９の前側の中央には、投写レンズユニット６の基端側が位置している。
【００１９】
一方、光学ユニット９の一方の側には、装置前後方向に向けて入出力インタフェース回路が搭載されたインタフェース基板１１が配置され、これに平行に、ビデオ信号処理回路が搭載されたビデオ基板１２が配置されている。さらに、光源ランプユニット８および光学ユニット９の上側には、装置駆動制御用の制御基板１３が配置され、装置前端側の左右の角には、それぞれスピーカ１４Ｒ，１４Ｌが配置されている。
【００２０】
光学ユニット９の上方及び下方には装置内部冷却用の吸気ファン１５Ａ，１５Ｂが配置されている。また、光源ランプユニット８の裏面側である装置側面には排気ファン１６が配置されている。そして、電源ユニット７における基板１１，１２の端に面する位置には、吸気ファン１５Ａからの冷却用空気流を電源ユニット７内に吸引するための補助冷却ファン１７が配置されている。
【００２１】
これらのファンのうち、ファン１５Ｂは、主に、後述する光変調装置５０Ｒ，５０Ｇ，５０Ｂ内に設けられた光変調素子としての液晶パネル４０Ｒ，４０Ｇ，４０Ｂ冷却用のファンとして機能している。尚、ファン１５Ａを液晶パネル４０Ｒ，４０Ｇ，４０Ｂの冷却用に用いることもできる。
【００２２】
以下、図３に基づき光学ユニット９および光学系の構成について説明する。
【００２３】
図３（Ａ）には、光学ユニット９の部分を示してある。この図に示すように、光学ユニット９は、その色合成手段を構成しているプリズムユニット２０以外の光学素子が上下のライトガイド９０１，９０２の間に上下から挟まれて保持された構成となっている。上ライトガイド９０１および下ライトガイド９０２は、それぞれ、アッパーケース３およびロアーケース４の側に固定ねじにより固定されている。また、これらの上下のライトガイド９０１，９０２は、プリズムユニット２０の側に同じく固定ねじによって固定されている。
【００２４】
プリズムユニット２０は、ダイキャスト板である厚手のヘッド板３０の裏面に固定ねじによって固定されている。このヘッド板３０の前面には、投写手段としての投写レンズユニット６の基端側が同じく固定ねじによって固定されている。したがって、本例では、ヘッド板３０を挟み、プリズムユニット２０と投写レンズユニット６とが一体となるように固定された構造となっている。
【００２５】
図３（Ｂ）には、プロジェクタ１に組み込まれている光学系の概略構成を示してある。本例の光学系は、光源ランプ８０５と、均一照明光学素子であるインテグレータレンズ９２１，９２２を有する均一照明光学系９２３と、この照明光学系９２３から出射される光束Ｗを、赤、緑、青の各色光束Ｒ、Ｇ、Ｂに分離する色分離光学系９２４と、各色光束を変調する光変調素子としての液晶パネル４０Ｒ，４０Ｇ，４０Ｂをそれぞれ有する本発明の特徴部分である３枚の光変調装置５０Ｒ，５０Ｇ，５０Ｂ（詳しい構成については以下に詳述する）と、変調された色光束を合成する色合成光学系としてのプリズム合成体２２と、合成された光束を投写面上に拡大投写する投写レンズユニット６とから構成される。また、色分離光学系９２４によって分離された各色光束のうち、青色光束Ｂを対応する液晶パネル４０Ｂに導くリレー光学系９２７を有している。
【００２６】
均一照明光学系９２３は、さらに、反射ミラー９３１を備えており、光源ランプ８０５からの出射光の光軸１ａを装置前方向に向けて直角に折り曲げるようにしている。このミラー９３１を挟み、インテグレータレンズ９２１，９２２が前後に直交する状態に配置されている。
【００２７】
色分離光学系９２４は、青緑反射ダイクロイックミラー９４１と、緑反射ダイクロイックミラー９４２と、反射ミラー９４３から構成される。まず、青緑反射ダイクロイックミラー９４１において、均一照明光学系９２３を通った光束Ｗのうち、そこに含まれている青色光束Ｂおよび緑色光束Ｇが直角に反射されて、緑反射ダイクロイックミラー９４２の側に向かう。赤色光束Ｒは、このミラー９４１を通過して、後方の反射ミラー９４３で直角に反射されて、赤色光束の出射部９４４から色合成光学系の側に出射される。次に、緑反射ダイクロイックミラー９４２において、ミラー９４１において反射された青および緑の光束Ｂ、Ｇのうち、緑色光束Ｇのみが直角に反射されて、緑色光束の出射部９４５から色合成光学系の側に出射される。このミラー９４２を通過した青色光束Ｂは、青色光束の出射部９４６からリレー光学系９２７の側に出射される。本例では、均一照明光学素子の光束の出射部から、色分離光学系９２４における各色光束の出射部９４４，９４５，９４６までの距離が全てほぼ等しくなるように設定されている。
【００２８】
色分離光学系９２４の赤色光束及び緑色光束の出射部９４４，９４５の出射側には、それぞれ集光レンズ９５１，９５２が配置されている。したがって、各出射部から出射した赤色光束及び緑色光束は、これらの集光レンズ９５１，９５２に入射して平行化される。
【００２９】
平行化された赤色および緑色の光束Ｒ、Ｇは、偏光板６０Ｒ，６０Ｇによって偏光方向が揃えられた後、光変調装置５０Ｒ，５０Ｇに入射して液晶パネル４０Ｒ，４０Ｇで変調され、各色光に対応した画像情報が付加される。すなわち、これらの液晶パネル４０Ｒ，４０Ｇは、図示していない駆動手段によって画像情報に対応する画像信号によってスイッチング制御され、これにより、ここを通過する各色光の変調が行われる。このような駆動手段は、公知の手段をそのまま使用することができる。
【００３０】
一方、青色光束Ｂは、リレー光学系９２７を介し、さらに、偏光板６０Ｂによって偏光方向が揃えられた後、対応する光変調装置５０Ｂに導かれて、ここにおいて、同様に画像情報に応じて変調が施される。
【００３１】
リレー光学系９２７は、集光レンズ９７４と入射側反射ミラー９７１と、出射側反射ミラー９７２と、これらのミラー間に配置した中間レンズ９７３と、液晶パネル４０Ｂの手前側に配置した集光レンズ９５３から構成される。各色光束の光路の長さ、すなわち、光源ランプ８０５から各光変調装置までの距離は、青色光束Ｂが最も長くなり、したがって、この光束の光量損失が最も多くなる。しかし、リレー光学系９２７を介在させることにより、光量損失を抑制できる。
【００３２】
各光変調装置５０Ｒ，５０Ｇ，５０Ｂを通って変調された各色光束は、偏光板６１Ｒ，６１Ｇ，６１Ｂに入射し、これを透過した光がプリズム合成体２２に入射され、ここで合成される。本例では、ダイクロイックプリズムからなるプリズム合成体２２を用いて色合成光学系を構成している。ここで合成されたカラー画像は、投写レンズユニット６を介して、所定の位置にある投写面１０上に拡大投写される。
【００３３】
次に、本発明の特徴部分である光変調装置５０Ｒ，５０Ｇ，５０Ｂに関して説明する。
【００３４】
図４は本発明の一実施の形態の光変調装置の正面図、図５は図４のＡ−Ａ断面図、図６は図４の光変調装置の分解斜視図である。なお、光変調装置５０Ｒ，５０Ｇ，５０Ｂは同じ構成であるため、以下では、光変調装置５０Ｇを例として説明をする。また、図５において左側が入射面側で、右側が出射面側、図６において右側が入射面側で、左側が出射面側である。
【００３５】
光変調装置５０Ｇは、ほぼ矩形状の保持枠５００内に、光変調表示体としての液晶表示体７０Ｇが収納され、その外側（出射面側）から、中央に光通過用の開口５１２を有し、且つ入射面側に凸に湾曲した構成の板状バネ部材５１０の左右端部の枠状部５１４が、保持枠５００に設けられたフック５０１に係合することで各構成部材が一体的に結合された構成となっている。
【００３６】
保持枠５００は、その中央部に光通過用の開口部５０２を有している。また、保持枠５００の四隅には、光変調装置５０Ｇを図示しない固定部材を介してプリズム合成体２２（図３（Ｂ）参照）にネジ固定するためのネジ穴５０４が螺設されている。なお、光変調装置５０Ｇとプリズム合成体２２との固定構造は本発明の本質とは関係ないため詳しい説明は省略する。また、保持枠５００の左右側面部に前述のフック５０１が設けられている。
【００３７】
液晶表示体７０Ｇは、光変調素子としての液晶パネル４０Ｇと、液晶パネル４０Ｇの入射側表面及び出射側表面にそれぞれ配置された２枚の防塵ガラス６００，６０２とを有している。液晶パネル４０Ｇには、本例ではＴＦＴ基板４２とこのＴＦＴ基板４２に対向する対向基板４４との間に図示しない液晶を封入した構成のものを用いている。
【００３８】
入射側の防塵ガラス６００は、液晶パネル４０Ｇの対向基板４４と外形形状がほぼ同じに設定されており、液晶パネル４０Ｇの入射側の表面に貼着固定されて液晶パネル４０Ｇの入射側の表面に塵埃などが付着するのを防止するものである。また、仮に入射側防塵ガラス６００自身の入射側表面に塵埃などが付着してしまった場合でも、液晶パネル４０Ｇの液晶面との距離を大きくすることで、投写される映像に影響が及ばないようにしたものである。
【００３９】
また、出射側の防塵ガラス６０２は、液晶パネル４０ＧのＴＦＴ基板４２と外形形状がほぼ同じに設定されており、液晶パネル４０Ｇの出射側の表面に貼着固定されて液晶パネル４０Ｇの出射側の表面に塵埃などが付着するのを防止するものである。そして、仮に出射側防塵ガラス６０２自身の出射側表面に塵埃などが付着してしまった場合でも、液晶パネル４０Ｇの液晶面との距離を大きくすることで、投写される映像に影響が及ばないようにしたものである
【００４０】
入射側防塵ガラス６００及び出射側防塵ガラス６０２それぞれの外表面全体には、帯電防止用の透明導電膜６０３が形成されている。この透明導電膜６０３として、本例では、帯電防止機能に加えて無反射機能を有する無反射機能付の透明導電膜が用いられている。次の図に無反射機能付の透明導電膜６０３の構成例を示す。
【００４１】
図７は、無反射機能付透明導電膜の構成の一例を示す図である。
図７に示すように、無反射機能付の透明導電膜６０３は、ガラス基板（ここでは防塵ガラス６００，６０２）上に、ＳｉＯ２  （２９ｎｍ）、ＺｒＯ２  （３３ｎｍ）、ＳｉＯ２  （２１ｎｍ）、導電性を有する例えばＩＴＯ（Ｉｎｄｉｕｍ  Ｔｉｎ  Ｏｘｉｄｅ）（６３ｎｍ）、ＳｉＯ２  （２９ｎｍ）がこの順に積層された多層構造となっている。なお、多層構造のうち、ＩＴＯを除く材料膜により無反射機能が実現され、ＩＴＯにより透明導電膜が実現されている。このような透明導電膜６０３を防塵ガラス６００，６０２の外表面に設けておくことで、防塵ガラス６００，６０２の表面における静電気の帯電が防止される。また、無反射機能付のものを用いることで、光の透過率が向上して光の利用効率を高めることが可能となり、これにより鮮明な画像を得ることも可能となる。なお、ここで示した無反射機能付の透明導電膜６０３の構成は一例であってこの構成に限られたものではない。
【００４２】
このように構成された透明導電膜６０３が表面に形成された防塵ガラス６００，６０２上であって、液晶パネル４０Ｇの表示領域６２の外周に相当する部分には、導電部材６０４が周設されている。また、出射側防塵ガラス６０２の表面においても同様に導電部材６０４が周設されている。
【００４３】
この導電部材６０４には、透明導電膜６０３よりも電気抵抗値の小さいものが用いられている。これにより、以下に詳述するが、液晶表示体７０Ｇ表面に帯電しようとする静電気の放電効果を高めることが可能となっている。この導電部材６０４としては、具体的には例えば蒸着、スパッタリング、メッキなどで形成されたＣｕ、Ｎｉ等の導電性薄膜や、弾性力を有する導電性ゴム材が用いられる。
【００４４】
また、対向基板４４とＴＦＴ基板４２との間の上部から上方に向けては、液晶パネル４０Ｇとプロジェクタ１との間の電気的な接続を行うためのフレキシブルケーブル（ＦＰＣ）４６が延びている。このＦＰＣ４６には、液晶パネル４０Ｇを駆動するための駆動回路に接続される複数ライン（図示せず）が設けられている。また、ＦＰＣ４６の入射側表面及び出射側表面のそれぞれには、幅方向（左右方向）に離間して２つのＦＰＣ４８が設けられている。ＦＰＣ４８は、ＦＰＣ４６と電気的に接続されており、ＦＰＣ４６からＦＰＣ４８にかけて、透明導電膜６０３をプロジェクタ１側に電気的に接地するためのＧＮＤライン４００が設けられている。なお、ＧＮＤライン４００は、前記駆動回路とは別回路のＧＮＤに接続されているものである。
【００４５】
ＦＰＣ４８の下端部は、導電部材６０４にハンダ付けされており、これによりＧＮＤライン４００と導電部材６０４とが電気的に接続されて導電部材６０４が電気的に接地された状態となっている。また、ここでは、ＧＮＤライン４００を入射面側、出射面側にそれぞれ２つずつ設けた構成を図示しているが、１つずつとしても良い。
【００４６】
このように導電部材６０４をＧＮＤライン４００に接続することにより、液晶パネル４０Ｇ表面の表示領域６２に帯電しようとする静電気は、液晶パネル４０Ｇ表面の透明導電膜６０３から導電部材６０４を介してＧＮＤライン４００から逃される。このため、液晶パネル４０Ｇ表面の静電気の帯電に起因した液晶パネル４０Ｇ表面へのゴミ、ケバ等の付着を防止することができる。その結果、ゴミ、ケバ等の付着に伴う画質の劣化防止を行うことができる。
【００４７】
なお、導電部材６０４とＦＰＣ４８のＧＮＤライン４００との接続は、ハンダ付けによる固着に限られず、接着剤による接着や、次の図に示す方法など各種の方法を採用できる。
【００４８】
図８は、板バネを用いた接続方法による接続構造の一例を示す図である。なお、ＦＰＣ４８のの下端部は、ここでは導電部材６０４と接続されておらず自由端となっているものとする。また、以下ではＦＰＣ４８について、入射側をＦＰＣ４８ａ、出射側をＦＰＣ４８ｂと呼ぶ場合がある。また、導電部材６０４について、入射側を６０４ａ、出射側を６０４ｂと呼ぶ場合がある。
この接続構造においては、まず、保持枠５００と液晶表示体７０Ｇとの間であって、入射面側のＦＰＣ４８ａの下端部間に対向するように板バネ４１０を配置する。また、板状バネ部材５１０において各ＦＰＣ４８ｂの下端部に対向する部分を切り起こし成形して、バネ性を有する２つの板バネ部５２０を形成する。このように構成された板バネ４１０、板状バネ部材５１０を含む光変調装置５０Ｇの各構成部材を保持枠５００のフック５０１と板状バネ部材５１０の枠状部５１４との係合により一体的に結合することにより、板バネ４１０によってＦＰＣ４８ａの下端部が導電部材６０４ａに押さえ付られて導電部材６０４ａと接続される。また、板状バネ部材５１０に設けられた板バネ部５２０によって、ＦＰＣ４８ｂの下端部が導電部材６０４ｂに押さえ付けられて導電部材６０４ｂと接続されることになる。
【００４９】
図９及び図１０は、その他の接続方法による接続構造を示す図で、図９は光変調装置の正面図、図１０は図９のＢ−Ｂ断面図である。なお、導電部材６０４について、入射側を６０４ａ、出射側を６０４ｂと呼ぶ場合がある。
この接続方法は、保持枠５００又は板バネ部材５１０と、導電部材６０４との間でＦＰＣ４８の下端部を挟持することでＦＰＣ４８と導電部材６０４とを接続するようにしたものである。保持枠５００においてＦＰＣ４６とＦＰＣ４８ａとの接続部分に対向する部分に挿通孔５０５が設けられている。また、保持枠５００において入射側の防塵ガラス６００の外周部を保持する枠状部５０６には、上下方向に挿通孔５０７が設けられている。そして、挿通孔５０５に対してＦＰＣ４８の下端部を挿通し、その状態で、保持枠５００内に液晶表示体７０Ｇを板バネ部材５１０によって装着することにより、ＦＰＣ４８ａの下端部が保持枠５００と導電部材６０４ａとの間で挟持されてＦＰＣ４８ａと導電部材６０４ａとが接続される。また、ＦＰＣ４８ｂと導電部材６０４とは、板バネ部材５１０と導電部材６０４との間でＦＰＣ４８ｂの下端部が挟持されることでＦＰＣ４８ｂと導電部材６０４とが接続される。
【００５０】
以上説明したように、本実施の形態によれば、透明導電膜６０３上に設けた導電部材６０４をＧＮＤライン４００に接続して電気的に接地するようにしたため、液晶表示体７０Ｇの表面に帯電しようとする静電気を、透明導電膜６０３から導電部材６０４を介してＧＮＤライン４００を通じて放電することができる。かかる構成により、従来と比較して除電の確実性が得られ、除電効果を確実に得ることができる。よって、液晶パネル４０Ｇ表面の静電気の帯電に起因した液晶パネル４０Ｇ表面へのゴミ、ケバ等の付着防止の向上を図ることができる。これにより、ゴミ、ケバ等の付着に伴う画質の劣化を確実に抑制することができる。
【００５１】
また、導電部材６０４は、透明導電膜６０３よりも電気抵抗値の小さいものが用いられているため、液晶表示体７０Ｇの表面に帯電しようとする静電気が放電し易くなり、高い除電効果を得られる。これにより、ゴミ、ケバ等の付着防止効果を高めることができ、もって、ゴミ、ケバ等の付着に伴う画質の劣化を確実に抑制することができる。
【００５２】
また、導電部材６０４には、上述したように導電性薄膜や、弾性力を有する導電性ゴム材が用いられるが、導電性薄膜を用いた場合にはＦＰＣ４８との良好な電気的接続性を得ることが可能となる。また、導電性ゴムを用いた場合には、透明導電膜６０３との密着性が高まり安定的な除電効果を得ることが可能となる。
【００５３】
また、本実施の形態では、透明導電膜６０３及び電気的接地された導電部材６０４を、液晶パネル４０Ｇの入射面及び出射面の両方に設けられた防塵ガラス６００上に設けたため、上記特許文献１の技術に比べて、ゴミ、ケバ等による悪影響が格段に阻止されて良好な投写画像を提供することが可能となっている。
【００５４】
また、屈曲性の良いＦＰＣを利用して導電部材６０４を電気的に接地するようにしているため、光変調装置５０Ｇを大型化することなく電気的接地を実現できる。
【００５５】
以上のように構成された光変調装置５０Ｒ，５０Ｇ，５０Ｂを備えたプロジェクタ１は、液晶表示体の表面にゴミ、ケバ等が付着するのが防止されるため、ゴミ、ケバ等が付着による投写画像の画質悪化を防止することができ、良好な投写画像を提供できるものとなる。
【００５６】
なお、上記実施の形態では、透過型の液晶パネルを用いたプロジェクタに本発明を適用した場合の例について説明したが、本発明は、反射型の液晶パネルを用いたプロジェクタにも適用することが可能である。また、後述のように、光変調素子は液晶パネルに限定されない。ここで、「透過型」とは、液晶パネル等の光変調素子が光を透過するタイプであることを意味しており、「反射型」とは液晶パネル等の光変調素子が光を反射するタイプであることを意味している。
【００５７】
反射型の光変調素子を採用したプロジェクタでは、プリズム合成体２２のようなダイクロイックプリズムが、光を赤、緑、青の三色の光に分離する光分離手段として利用されると共に、変調された三色の光を合成して同一の方向に出射する光合成手段としても利用されることがある。また、光変調素子と色合成手段との間に偏光ビームスプリッタが配置されることもある。反射型のプロジェクタにこの発明を適用した場合にも、透過型のプロジェクタとほぼ同様な効果を得ることができる。
【００５８】
また、光変調素子としてここでは液晶パネルを例に挙げて説明してきたが、液晶パネルに限られず、例えば、マイクロミラーを用いた装置や、ＣＣＤ（電荷結合素子）であっても良い。
また、プリズムは、プリズム合成体２２のように、４つの三角柱状プリズムの接着面に沿って二種類の色選択面が形成されたダイクロイックプリズムに限られず、色選択面が一種類のダイクロイックプリズムや、偏光ビームスプリッタであっても良い。その他、プリズムは、略六面体状の光透過性の箱の中に光選択面を配置し、そこに液体を充填したようなものであっても良い。
【００５９】
さらに、投写型のプロジェクタとしては、投写像を観察する方向から投写を行う前面投写型プロジェクタと、投写像を観察する方向とは反対側から投写を行う背面投写型プロジェクタとがあるが、上記実施の形態で示した構成は、そのいずれにも適用可能である。
【００６０】
また、上記実施の形態では、３つの液晶パネルを用いたいわゆる３板方式のプロジェクタにおいて本発明の光変調装置を適用した場合を例に示したが、液晶パネルを２枚又は４枚用いた２板方式又は４板方式のプロジェクタにも適用可能である。
【図面の簡単な説明】
【図１】本発明のプロジェクタの外観を示す図。
【図２】図１の外装ケースの内部における各構成部分の配置を示す図。
【図３】（Ａ）光学レンズユニットと投写レンズユニットの部分を取り出して示す図、（Ｂ）光学系の概略構成図。
【図４】本発明の一実施の形態の光変調装置の正面図。
【図５】図４のＡ−Ａ断面図。
【図６】図４の光変調装置の分解斜視図。
【図７】無反射機能付透明導電膜の構成の一例を示す図。
【図８】ＦＰＣと透明導電膜との板バネを用いた接続構造例を示す図。
【図９】その他の接続構造の一例を示す図。
【図１０】図９のＢ−Ｂ断面図。
【符号の説明】
１  プロジェクタ、４０Ｒ，４０Ｇ，４０Ｂ  液晶パネル（光変調素子）、４２  ＴＦＴ基板、４４  対向基板、４６、４８、４８ａ、４８ｂ  ＦＰＣ、５０Ｒ，５０Ｇ，５０Ｂ  光変調装置、６２  表示領域、４００  ＧＮＤライン、５００  保持体、６００，６０２  防塵ガラス、６０３  透明導電膜、６０４  導電部材。
【図１】
2004233501.tif 000003
【図２】
2004233501.tif 000004
【図３】
2004233501.tif 000005
【図４】
2004233501.tif 000006
【図５】
2004233501.tif 000007
【図６】
2004233501.tif 000008
【図７】
2004233501.tif 000009
【図８】
2004233501.tif 000010
【図９】
2004233501.tif 000011
【図１０】
2004233501.tif 000012